(57)【要約】      （修正有）【課題】住宅性能表示維持管理対策等級３を満足する為の掃除口が浴室側にあり、浴槽排水トラップに接続された排水排管内を浴室側から容易に洗浄することができる浴室ユニットを提供する。【解決手段】浴槽２の排水口を受けるように浴槽２に接続された浴槽排水トラップ５に直接排水配管５３が接続された浴室ユニットＡにおいて、浴槽排水トラップ５のトラップ本体部５１より下流側で一端が浴槽排水トラップ５に連設され、他端が浴室内に臨むように設けられ、浴室側から浴槽排水トラップ５に接続された排水配管５３内に可撓性を有する長尺の排水配管洗浄ノズルを挿入する洗浄具ガイド配管６を備えている。【選択図】図１
2014092017.tif 000002
【特許請求の範囲】
【請求項１】
浴槽の排水口を受けるように浴槽に接続された浴槽排水トラップに直接排水配管が接続された浴室ユニットにおいて、
前記浴槽排水トラップのトラップ本体部より下流側で一端が浴槽排水トラップに連設され、他端が浴室内に臨むように設けられ、浴室側から前記浴槽排水トラップに接続された排水配管内に可撓性を有する長尺の配管洗浄具を挿入する洗浄具ガイド配管を備えていることを特徴とする浴室ユニット。
【請求項２】
洗浄具ガイド配管の浴室側端部が洗い場パンの浴槽側端縁に下端が支持され、上端が浴槽の洗い場側上端縁を受けるエプロンに支持されている請求項１に記載の浴室ユニット。
【請求項３】
洗浄具ガイド配管の浴室側開口に閉じる着脱自在なキャップを備えている請求項１または請求項２に記載の浴室ユニット。
【請求項４】
洗浄具ガイド配管が可撓管である請求項１〜請求項３のいずれかに記載の浴室ユニット。
【請求項５】
洗浄具ガイド配管の浴室側端部を洗い場側から隠蔽する化粧エプロンを備えている請求項１〜請求項４のいずれかに記載の浴室ユニット。
【発明の詳細な説明】
【技術分野】
【０００１】
本発明は、浴室ユニットに関する。
【背景技術】
【０００２】
住宅において、住宅性能表示維持管理対策等級３を満足させるには、設備機器等から排水される排水の排水配管に掃除口を設ける等して、建物躯体を損なうことなく排水配管内を清掃できることが必要である。
一方、浴室ユニットには、図７に示すような浴室ユニット１００や、図８および図９に示すような浴室ユニット２００がある。
【０００３】
図７に示す浴室ユニット１００は、浴槽パンに設けられた排水口１３２が洗い場排水口に繋がる洗い場排水トラップ１３０に直接接続されている。また、浴槽１２０の排水口から排水された排水が上記排水口１３２を介して洗い場排水トラップ１３０内に流れ込み、洗い場１１０側から洗い場排水トラップ１３０内に流れ込んだ排水と同様に洗い場排水トラップ１３０に接続された排水配管１４０を介して排水されるようになっている。
そして、かかる浴室ユニット１００の場合、洗い場排水トラップ１３０の封水筒１３１を取り外せば、大きな開口が確保できるので、この開口から配管洗浄ノズル等の長尺の配管洗浄具を挿入することによって排水配管１４０内を容易に洗浄することができる（例えば、特許文献１）。
【０００４】
すなわち、このような浴室ユニット１００の場合、洗い場排水トラップ１３０が掃除口となるため、排水配管の途中に掃除窓などの掃除口を設けなくとも住宅性能表示維持管理対策等級３を満足するとともに、洗浄作業を行う際に、作業者が床下に入ることなく、浴室側から排水配管１４０内の洗浄作業を容易に行うことができる。
【０００５】
一方、図８および図９に示す浴室ユニット２００は、浴槽パンがなく、洗い場排水トラップ２３０に接続される第１排水配管２３１と、図１０に示すように、浴槽２２０の排水口２２１に接続された浴槽排水トラップ２４０とに接続される第２排水配管２４１を備えている。
かかる浴室ユニット２００の場合、第１排水配管２３１は、上記の浴室ユニット１００と同様に、洗い場排水トラップの封水筒を取り外すことによって、浴室側から容易に洗浄することができる。
【０００６】
しかし、浴槽２２０の排水口２２１は、意匠維持や入浴した際にお尻に当たる等を防ぐために小さくせざるを得ない。また、浴槽排水トラップ２４０は、浴槽２２０の洗い場側からの跨ぎ込み高さを低く抑えるために、浴槽排水トラップ２４０の高さ方向の寸法をできるだけ低くする、すなわち、厚みを薄くするように設計される傾向にある。
したがって、図１０に示すように、浴槽２２０の排水口２２１および浴槽排水トラップ２４０を介して排水配管洗浄ノズル３００を第２排水配管２４１に挿入することが極めて困難である。
【０００７】
そこで、上記浴室ユニット２００の場合、図８に示すように、第２排水配管２４１の途中に取り外し可能な短管２４２を設けるか、掃除窓（図示せず）を設け、第２排水配管２４１内を洗浄する際には、床下に入った作業者が上記短管２４２部分で第２排水配管２４１を切り離すか、掃除窓を開口して第２排水配管２４１内に排水配管洗浄ノズル３００を挿入して洗浄するようにしている。
なお、図１０中、３１０は可撓性ホース、３２０は洗浄ノズル本体部である。
【先行技術文献】
【特許文献】
【０００８】
【特許文献１】特開平９−２１７４０３号公報
【発明の概要】
【発明が解決しようとする課題】
【０００９】
しかしながら、上記のように、浴槽の跨ぎ込み高さを低くするため、浴槽の高さを低くなるように設置した場合、浴槽２２０と建物床面との隙間が狭くならざるを得ず、浴槽２０の下方での作業が非常に困難であるとともに、第２排水配管２４１内に残った排水や、洗浄水が建物床面に漏れるおそれもある。
【００１０】
本発明は、上記事情に鑑みて、住宅性能表示維持管理対策等級３を満足する為の掃除口が浴室側にあり、浴槽排水トラップに接続された排水排管内を浴室側から容易に洗浄することができる浴室ユニットを提供することを目的としている。
【課題を解決するための手段】
【００１１】
上記目的を達成するために、本発明にかかる浴室ユニット（以下、「本発明の浴室ユニット」と記す）は、浴槽の排水口を受けるように浴槽に接続された浴槽排水トラップに直接排水配管が接続された浴室ユニットにおいて、前記浴槽排水トラップのトラップ本体部５１より下流側で一端が浴槽排水トラップ５に連設され、他端が浴室内に臨むように設けられ、浴室側から前記浴槽排水トラップに接続された排水配管内に可撓性を有する長尺の配管洗浄具を挿入する洗浄具ガイド配管を備えていることを特徴としている。
【００１２】
本発明の浴室ユニットは、洗浄具ガイド配管の浴室側端部が洗い場パンの浴槽側端縁に下端が支持され、上端が浴槽の洗い場側上端縁を受けるエプロンに支持されている構成とすることができる。
また、排水配管側からの汚臭が浴室内に確実に漏れでないようにするために、洗浄具ガイド配管の浴室側開口に閉じる着脱自在なキャップを備えていることが好ましい。
【００１３】
洗浄具ガイド配管は、特に限定されないが、浴槽の形状や浴室ユニットのサイズが異なっても対応できるように、可撓管で構成することが好ましい。
たとえば、洗浄具ガイド配管の長さを大きなサイズの浴室ユニットに適合する長さにしておけば、１つのサイズの洗浄具ガイド配管で全てのサイズの浴室ユニットに対応でき、コストダウンを図ることができる。
【００１４】
また、本発明の浴室ユニットは、洗浄具ガイド配管の浴室側端部を洗い場側から隠蔽する化粧エプロンを備えている構成とすることができる。
すなわち、かかる構成とすれば、通常、浴室を使用する人から洗浄具ガイド配管の端部がまったく見えず見栄えのよいものとすることができる。
【発明の効果】
【００１５】
本発明の浴室ユニットは、以上のように、浴槽の排水口を受けるように浴槽に接続された浴槽排水トラップに直接排水配管が接続された浴室ユニットにおいて、前記浴槽排水トラップのトラップ本体部より下流側で一端が浴槽排水トラップに連設され、他端が浴室内に臨むように設けられ、浴室側から前記浴槽排水トラップに接続された排水配管内に可撓性を有する長尺の配管洗浄具を挿入する洗浄具ガイド配管を備えているので、浴槽の排水口を大きくしなくても、浴室側から浴槽排水トラップに直接接続された排水配管内を長尺の配管洗浄具を用いて容易に洗浄することができる。
すなわち、浴槽の意匠性や入浴時の使用感を損なうことなく、浴槽排水トラップに直接接続される排水配管について、住宅性能表示維持管理対策等級３に必要な掃除口を浴室ユニットに設けることができる。
【図面の簡単な説明】
【００１６】
【図１】本発明の浴室ユニットの１つの実施の形態であって、その排水配管構造を上方からみて説明する図である。
【図２】図１の浴室ユニットの浴室内を断面であらわした側面断面図である。状態を説明する図である。
【図３】図１および図２の浴室ユニットの浴槽排水トラップと第２排水配管部分の断面図である。
【図４】図１および図２の浴室ユニットの第２排水配管内に配管洗浄ノズルを挿入した状態をあらわす断面図である。
【図５】図１および図２の浴室ユニットの洗浄具ガイド配管部分を説明する図であって、そのキャップを外した状態をあらわす一部切欠断面図ある。
【図６】図１および図２の浴室ユニットの洗浄具ガイド配管部分のキャップを取り付けた
【図７】公知の浴室ユニットの１例をあらわし、その排水配管系統を説明する図である。
【図８】公知の浴室ユニットの他の例をあらわし、その排水配管系統を説明する図である。
【図９】図８の浴室ユニットの浴室内を断面であらわした側面断面図である。
【図１０】図８および図９の浴室ユニットの浴槽排水口から配管洗浄ノズルを挿入した状態を説明する断面図である。
【発明を実施するための形態】
【００１７】
以下に、本発明を、その実施の形態をあらわす図面を参照しつつ詳しく説明する。
図１および図２は、本発明の浴室ユニットの１つの実施の形態をあらわしている。
【００１８】
図１および図２に示すように、この浴室ユニットＡは、洗い場パン１に隣接して浴槽２を備えている。
そして、洗い場パン１は、図２に示すように、洗い場１０の浴槽２側端縁を除き、３方の周縁に浴室の側壁を構成する壁パネル（ドア枠を含む）３が支持されるとともに、洗い場排水口１１を浴槽２側の端縁部に有し、この洗い場排水口１１を受けるように洗い場排水トラップ（以下、「第１トラップ」と記す）４が設けられ、この第１トラップ４に第１排水配管４２が接続されている。
【００１９】
第１トラップ４は、従来と同様に、封水筒４１を取り外すことによって第１排水配管４２に排水配管洗浄ノズル３００を容易に挿入することができるようになっている。
【００２０】
一方、浴槽２は、たとえば、アジャスター付きの支持脚等の支持部材（図示せず）を介して建物床面（図示せず）に直接あるいは浴槽２の框部周縁を受ける枠部材３１を介して支持されている。
枠部材３１には、洗い場パン１側の端縁を除く、３方に壁パネル３が支持されている。
【００２１】
そして、浴槽２は、図３および図４に示すように浴槽排水口２１に浴槽排水トラップ（以下、「第２トラップ」）５が接続されている。
【００２２】
第２トラップ５は、図１に示すように、トラップ本体部５１と、排水管接続部５２とを備えている。
【００２３】
トラップ本体部５１は、図３および図４に示すように、封水筒５１ａが装着されていて、傾斜した隔壁５１ｂを介して排水管接続部５２に連設されている。
すなわち、封水筒５１ａを介して流れ込んだ排水Ｗが隔壁５１ｂをオーバーフローして排水管接続部５２に流れ込むようになっている。
【００２４】
封水筒５１は、下端が隔壁５１ｂの上端より下方になるようにトラップ本体部５１内に臨んでいる。
排水管接続部５２は、図１〜図４に示すように、第１排水配管４２に合流するように設けられる第２排水配管５３が接続されている。
【００２５】
また、排水管接続部５２の側壁には、図１、図３および図４に示すように、後述する洗浄具ガイド配管６の接続ノズル５２ａが突設されている。
接続ノズル５２ａは、図１、図５および図６に示すように、排水管接続部５２に連通しているとともに、洗浄具ガイド配管６の一端が接続されている。
洗浄具ガイド配管６は、一端が接続ノズル５２ａに外嵌接続される可撓性蛇腹管（たとえば、熱可塑性樹脂エラストマーや合成ゴム製）で形成された管本体６１と、管本体６１の他端に一体に設けられた合成樹脂製の、フランジ付きねじ筒部（以下、「ねじ筒部」とのみ記す）６２と、締め付けナット６４と、キャップ６３とを備えている。
【００２６】
そして、洗浄具ガイド配管６は、一端が接続ノズル５２ａに外嵌されて接続ノズル５２ａを介して排水管接続部５２に連通状態に接続され、他端が、ねじ筒部６２のねじ部６２ａが洗い場１０側と浴槽２下方の空間とを水密に仕切るエプロン７の上端部側に設けられた挿通孔７１を介して洗い場１０側に突出するとともに、ねじ部６２ａにねじ込まれた締め付けナット６４とフランジ部６２ｂとの間でシール材（図示せず）を介してエプロン７の壁面を両側から挟む込むことによってエプロン７に支持固定されている。
【００２７】
キャップ６３は、中央にＯリング６３ｂが外嵌されている水密嵌合部６３ａを有する袋ナット状をしていて、ねじ部６２ａに螺合されることによって水密嵌合部６３ａがねじ筒部６２内に嵌り込んでＯリング６３ｂによってねじ筒部６２の開口端を水密に封止するようになっている。
すなわち、キャップ６３によって、第２排水配管５３から排水配管中の汚臭が浴室内に漏れ出ないようにすることができる。
【００２８】
エプロン７の洗い場１０側には、エプロン７および洗浄具ガイド配管６のキャップ６３部分が隠れるように化粧エプロン８が着脱可能に設けられている。
【００２９】
この浴室ユニットＡは、上記のように構成されており、以下のようにして、第２排水配管５３内を洗浄することができる。
すなわち、まず、洗い場１０側から化粧エプロン８を取り外したのち、図５に示すように、洗浄具ガイド配管６のキャップ６３を取り外す。
【００３０】
つぎに、図４に示すように、洗浄具として排水配管洗浄ノズル３００をノズル本体部３２０を先頭にしてねじ筒部６２の開口端から洗浄具ガイド配管６内に挿入し、洗浄具ガイド配管６を通り、接続ノズル５２ａおよび排水配管接続部５２を介してノズル本体部３２０を第２排水配管５３内に臨ませ、図示していないポンプからホース３１０を介して送られた洗浄水３３０をノズル本体部３２０から噴射させて第２排水配管５３内を洗浄する。
洗浄完了後、排水配管洗浄ノズル３００を洗い場１０側に引抜いたのち、キャップ６３を取り付けて洗浄具ガイド配管６の浴室側の端部を水密に封鎖したのち、化粧エプロン８を取り付ける。
【００３１】
一方、第１排水配管４２内は、従来の浴室ユニットと同様に、洗い場排水口１１の第１排水トラップ４の封水筒４１を取り外したのち、洗い場１０側、すなわち、浴室内から第１排水トラップ４を介して排水配管洗浄ノズル３００のノズル本体部３２０を第１排水配管４２内に臨ませて、上記第２排水配管５３と同様にして洗浄することができる。
【００３２】
この浴室ユニットＡは、上記のように、洗浄具ガイド配管６を備え、この洗浄具ガイド配管６を介して第２トラップ５に接続された第２排水配管５３内に、浴室、すなわち、洗い場１０側から排水配管洗浄ノズル３００を第２排水配管５３内に送り込んで、ノズル本体３２０から噴射される洗浄水３３０によって洗浄することができ、住宅性能表示維持管理対策等級３を満足する。
【００３３】
しかも、床下に作業者が入り込んで、第２排水配管２４１のフランジを外して第２排水配管２４１内を洗浄するという手間がなく、洗浄作業性がよくなるとともに、床下に作業者が入り込む必要がなくなり、浴槽下方の床下のスペースも少なくすることができ、浴槽２の跨ぎ込み高さを必要に応じて低くすることができる。
また、ねじ筒部６２およびキャップ６３が化粧エプロン８に隠蔽されているので、浴室内が見栄えのよいものとなる。
【００３４】
本発明は、上記の実施の形態に限定されない。例えば、上記の実施の形態では、洗浄ガイド配管の浴室側端部がエプロンに固定され、化粧エプロンによって隠蔽されていたが、洗浄具ガイド配管を壁パネルの裏側に通し、浴室側端部を洗い場カウンターの下方で壁パネルを貫通するように設けても構わない。
上記の実施の形態では、洗浄具ガイド配管が合成樹脂やゴムで形成されていたが、金属材料で形成されていても構わない。
また、上記の実施の形態では、洗浄具ガイド配管の他端がエプロンの上端側に固定したが、キャップを備えていれば、下端側に設けるようにしても構わない。
【符号の説明】
【００３５】
Ａ  浴室ユニット
１  洗い場パン
１０  洗い場
１１  洗い場排水口
２  浴槽
２１  浴槽排水口
３  壁パネル
４  洗い場排水トラップ
４１  封水筒
４２  第１排水配管
３１  枠部材
５  浴槽排水トラップ
５１  トラップ本体部
５１ａ  封水筒
５１ｂ  隔壁
５２  排水管接続部
５２ａ  接続ノズル
５３  第２排水配管
６  洗浄具ガイド配管
６１  管本体
６２  フランジ付きねじ筒部
６２ａ  ねじ部
６２ｂ  フランジ部
６３  キャップ
６３ａ  水密嵌合部
６３ｂ  Ｏリング
６４  締め付けナット
７  エプロン
７１  挿通孔
８  化粧エプロン
３００  排水配管洗浄ノズル
３１０  ホース
３２０  ノズル本体部
３３０  洗浄水
Ｗ  排水
【図１】
2014092017.tif 000003
【図２】
2014092017.tif 000004
【図３】
2014092017.tif 000005
【図４】
2014092017.tif 000006
【図５】
2014092017.tif 000007
【図６】
2014092017.tif 000008
【図７】
2014092017.tif 000009
【図８】
2014092017.tif 000010
【図９】
2014092017.tif 000011
【図１０】
2014092017.tif 000012